(57)【要約】      （修正有）【課題】マッサージ帯付けのパッドを提供する。【解決手段】パッド１０の中に、運動を発生するためのマッサージ帯セット２０が設置され、マッサージ帯セット２０に、パッドの一側の表面にある二つの所定の位置から伸び出される結合帯２１があり、二つの結合帯２１の端部に、調整結合段２１１があり、結合帯２１が、マッサージ帯セット２０により連動されることを特徴とするマッサージ帯付けのパッド。  マッサージ帯セット２０は、モーター２２により、連動軸と二つの偏心輪セット２４，２４が連動されている。さらに、二つの偏心輪セット２４，２４が、両端部に設置され、また、該二つの偏心輪セット２４，２４に互いに係合できる結合帯が設置されている。上記の構造により、適当な力でマッサージして、より良い体型をモデリングする効果が得られ、そして、体に傷付く恐れがない。【選択図】図２
2008200247.tif 000002
【特許請求の範囲】
【請求項１】
パッドの中に、運動を発生するためのマッサージ帯セットが設置され、マッサージ帯セットに、パッドの一側の表面にある二つの所定の位置から伸び出される結合帯があり、
二つの結合帯の端部に、調整結合段があり、結合帯が、マッサージ帯セットにより連動される、
ことを特徴とするマッサージ帯付けのパッド。
【請求項２】
パッド上に、マッサージ帯セットを結合するための固定座が設置され、マッサージ帯セットが、モーターにより連動軸と二つの偏心輪セットを連動し、二つの偏心輪セットが、それぞれ、両端部に設置され、二つの偏心輪セットに、それぞれ、二つの互いに係合する結合帯が設けられ、モーターにより、両方の連動軸が連動されて回転し、偏心輪セットが、偏心部材を利用して結合部材に合わせて、軸受に対応するように連動軸の両端に設けられ、結合帯が、偏心輪セットの結合部材に結合されることを特徴とする請求項１に記載のマッサージ帯付けのパッドである。
【請求項３】
パッドの固定座に、シュートが設けられ、モーターが、固定座に結合され、固定座のスピンドルに、偏心セットが結合され、偏心セットにより、連動軸が連動され、連動軸が、左右に搖動できるように、シュートに設置され、連動軸に、偏心穴が設けられ、該偏心穴と偏心セットとを合わせることにより、連動軸の両端が、されぞれ、結合帯に結合され、両端の結合帯が、更にパッドの表面の二つの所定の位置から、伸び出し、また、結合帯の端部に、調整結合段が設けられることを特徴とする請求項１に記載のマッサージ帯付けのパッドである。
【請求項４】
モーターが、両方の連動軸を連動する双方向モーターであることを特徴とする請求項１に記載のマッサージ帯付けのパッドである。
【請求項５】
モーターが、ギア−により連動軸を連動する単方向モーターであることを特徴とする請求項１に記載のマッサージ帯付けのパッドである。
【請求項６】
パッドが、椅子のシートバックに設置されることを特徴とする請求項１に記載のマッサージ帯付けのパッドである。
【請求項７】
パッドが、椅子のシートクッションに設置されることを特徴とする請求項１に記載のマッサージ帯付けのパッドである。
【請求項８】
パッドが、寝台に設置されることを特徴とする請求項１に記載のマッサージ帯付けのパッドである。
【請求項９】
マッサージ帯セットの調整結合段が、互いに係合できる調整リング方式であることを特徴とする請求項１に記載のマッサージ帯付けのパッドである。
【請求項１０】
マッサージ帯セットの調整結合段が、互いに止着できる止着テープ方式であることを特徴とする請求項１に記載のマッサージ帯付けのパッドである。
【請求項１１】
パッドのマッサージ帯セットの二つの結合帯に、それぞれ、固定結合帯があり、固定結合帯の一端が、パッドに固定され、もう一端に、結合帯に合わせる調整結合段が設けられることを特徴とする請求項１に記載のマッサージ帯付けのパッドである。
【発明の詳細な説明】
【技術分野】
【０００１】
本発明は、ユーザーが、マッサージや筋肉を運動することにより、体のリラックスや疲労の除去及び体型のモデリングを実現できるマッサージ帯付けのパッドに関し、特に、体の一部に対して一回りにマッサージして体型をモデリングできるものに関する。
【背景技術】
【０００２】
現代の人は、仕事のストレスが大きく、運動する暇が無く、また、暇があっても、仕事により疲れて、戸外で運動する気がなく、体も、少しずつ肥満になり、筋肉も使用しないため弱くなり、そのため、多くの人は、室内において、機械を利用して、色々の運動や体型のモデリングを行い、また、休憩やテレビを見る時或いは、本を読む時、機械や装置を利用して、体を運動させることやマッサージするが、一般の座って使用する運動装置やマッサージ装置は、例えば、マッサージチェア等で、横になる背部に対して、運動やマッサージを行い、それは、マッサージチェアの背もたれ部に、上下にローラーや左右押し当てマッサージ動作を行う機器を設置する構造により、背もたれに接触する手や腰及び肩等の部分の筋肉に対して揉んで、筋肉の緊張や身心のストレスを低減し、そして、体型をモデリングする効果が得られるが、該構造により、横になる時、接触する部分の筋肉だけについて、揉むことができ、体の前方の部位に対して、何れの姿勢でもマッサージすることができず、上記の構造に、改善すべくところがある。
【０００３】
既存の腰部を嵌めこんで使用する体型モデリング腰帯は、帯状で、帯に、少なくとも１箇所に振動器が設置され、体型モデリング腰帯を腰部に嵌めこんで、振動器により震動することにより、嵌めこむ部位に対して、体型をモデリングする効果が得られるが、当該構造は、点状震動を拡散することであり、その振動力が強くなければ、そのエネルギーが、帯全体に伝達できず、震動力が強すぎると、震動点の付近に位置する内蔵に傷付く恐れがあるため、使用上、注意し深くなければならなく、また、短時間しか使用できなく、また、当該点状震動方式は、体型をモデリングする効果が良くない。
【発明の開示】
【発明が解決しようとする課題】
【０００４】
本発明の目的は、伝動方式が、連動方式であり、マッサージ帯セット全体が、左右の波動偏搖になり、当該波動偏搖により、マッサージ帯セット全体が連動されて、帯状方式で同時に等量運動になり、体に使用されると、接触した体の部位全体に対して印加する力が均一的になり、震動がし過ぎる状態が無く、使用することにより、マッサージして体型をモデリングする効果が得られ、また、力が、平面帯状であるため、体の単一点に対して力を印加しすぎることが無く、体に傷付くことがないマッサージ帯付けのパッドを提供する。
【課題を解決するための手段】
【０００５】
請求項１の発明は、パッドの中に、運動のためのマッサージ帯セットが設置され、マッサージ帯セットに、パッドの一側の表面にある二つの所定の位置から伸び出される結合帯があり、二つの結合帯の端部に、調整結合段があり、結合帯が、マッサージ帯セットにより連動される、ことを特徴とするマッサージ帯付けのパッドである。
【０００６】
請求項２の発明は、パッド上に、マッサージ帯セットを結合するための固定座が設置され、マッサージ帯セットが、モーターにより連動軸と二つの偏心輪セットを連動し、二つの偏心輪セットが、それぞれ、両端部に設置され、二つの偏心輪セットに、それぞれ、二つの対照する結合帯が設けられ、モーターにより、両方の連動軸が連動されて回転し、偏心輪セットが、偏心部材を利用して結合部材に合わせて、軸受に対応するように連動軸の両端に設けられ、結合帯が、偏心輪セットの結合部材に結合されることを特徴とする請求項１に記載のマッサージ帯付けのパッドである。
【０００７】
請求項３の発明は、パッドの固定座に、シュートが設けられ、モーターが、固定座に結合され、固定座のスピンドルに、偏心セットが結合され、偏心セットにより、連動軸が連動され、連動軸が、左右に搖動できるように、シュートに設置され、連動軸に、偏心穴が設けられ、該偏心穴と偏心セットとを合わせることにより、連動軸の両端が、されぞれ、結合帯に結合され、両端の結合帯が、更にパッドの表面の二つの所定の位置から、伸び出し、また、結合帯の端部に、調整結合段が設けられることを特徴とする請求項１に記載のマッサージ帯付けのパッドである。
【０００８】
請求項４の発明は、モーターが、両方の連動軸を連動する双方向モーターであることを特徴とする請求項１に記載のマッサージ帯付けのパッドである。
【０００９】
請求項５の発明は、モーターが、ギア−により連動軸を連動する単方向モーターであることを特徴とする請求項１に記載のマッサージ帯付けのパッドである。
【００１０】
請求項６の発明は、パッドが、椅子のシートバックに設置されることを特徴とする請求項１に記載のマッサージ帯付けのパッドである。
【００１１】
請求項７の発明は、パッドが、椅子のシートクッションに設置されることを特徴とする請求項１に記載のマッサージ帯付けのパッドである。
【００１２】
請求項８の発明は、パッドが、寝台に設置されることを特徴とする請求項１に記載のマッサージ帯付けのパッドである。
【００１３】
請求項９の発明は、マッサージ帯セットの調整結合段が、互いに係合できる調整リング方式であることを特徴とする請求項１に記載のマッサージ帯付けのパッドである。
【００１４】
請求項１０の発明は、マッサージ帯セットの調整結合段が、互いに止着できる止着テープ方式であることを特徴とする請求項１に記載のマッサージ帯付けのパッドである。
【００１５】
請求項１１の発明は、パッドのマッサージ帯セットの二つの結合帯に、それぞれ、固定結合帯があり、固定結合帯の一端が、パッドに固定され、もう一端に、結合帯に合わせる調整結合段が設けられることを特徴とする請求項１に記載のマッサージ帯付けのパッドである。
【発明を実施するための最良の形態】
【００１６】
図１乃至５を参照しながら、パッド１０に、運動を発生するためのマッサージ帯セット２０が設置され、該マッサージ帯セット２０において、パッド１０の一側の表面にある所定の位置から伸び出した二つの結合帯２１があり、二つの結合帯２１は、マッサージ帯セット２０によって連動される。
【００１７】
また、パッド１０上に、マッサージ帯セット２０を結合するための固定座１１が設置され、マッサージ帯セット２０が、モーター２２により、連動軸２３と二つの偏心輪セット２４を連動し、該二つの偏心輪セット２４が、それぞれ、両端部に設置され、二つの偏心輪セット２４に、二つの互いに係合する結合帯２１が設けられ、モーター２２が、双方向モーターであり、両方の連動軸２３を連動して回転し、偏心輪セット２４が、偏心部材２４１を利用して結合部材２４２に合わせて、軸受２４３に対応するように連動軸２３の両端に設けられ、結合帯２１が、偏心輪セット２４の結合部材２４２に結合され、その端部に、調整結合段２１１が設けられ、該調整結合段２１１が、互いに係合できる方式（図１と２のように）や止着テープ方式（図３乃至５のように）である。
【００１８】
上記の構造は、図５と６のように、モーター２２が回転すると、連動軸２３が連動されて、同時に回転し、そして、連動軸２３により、偏心輪セット２４の偏心部材２４１が、偏心回転し、これにより、結合部材２４２が連動されて回転され、また、結合部材２４２が、軸受２４３を利用して設置されて、また、前方に結合帯２１が設けられ、そして、パッド１０の所定の位置から伸び出されるため、前方へ回転するように保持し、これにより、結合帯２１が、快速的な左右の波動を発生して、揉みながら偏搖する。
【００１９】
パッド１０が、シートバックのパッドや椅子のパッド或いは寝台のパッドであり、図１乃至４図は、シートバックのパッドの形態で、図７と８は、椅子のパッドの形態であり、椅子のパッドの形態である場合、マッサージ帯セット２０の二つの結合帯２１は、それぞれ、固定結合帯２１２が設けられ、固定結合帯２１２の一端が、パッド１０に固定され、もう一端、結合帯２１の調整結合段２１３が設けられ、両者は、それぞれ、結合帯２１と固定結合帯２１２とにより結合される。
【００２０】
図９を参照しながら、ユーザーが椅子１を座って、パッド１０をシートバックに設置して、また、結合帯２１により腰部の位置に嵌めこむように結合することができ、結合帯２１を、最適の長さに調整して、モーター２２を駆動すると、結合帯２１が、偏心輪セット２４によって連動され、左右の波動偏搖を行い、これにより、腰部の前方や両側に対してマッサージして体型をモデリングすることができる。
【００２１】
図１０のように、やや緊張するように、パッド１０上の結合帯２１を最適な長さに調整して、ユーザーが座ってから斜めに椅子１のシートバックのパッド１０に背もたれて、モーター２２を駆動すると、結合帯２１が、偏心輪セット２４により連動され、左右へ波動偏搖を行い、これにより、背部に対してマッサージして体型をモデリングすることができる。
【００２２】
また、図１１のように、ユーザーが椅子１を座る前、パッド１０をシートクッションに設置して、結合帯２１を、両腿を嵌めこむように設置し、結合帯２１を、最適な長さに調整し、モーター２２を駆動すると、結合帯２１が、偏心輪セット２４により連動されて、左右の波動偏搖を行い、これにより、腿の回りに対してマッサージして、体型をモデリングすることができる。
【００２３】
また、図１２のように、寝台２に設置する時、パッド１０を平らにベッドの上に設置し、ユーザーがその上に横になる時、パッド１０が、腰部や腿、脚或いはアームの位置に設置され、また、結合帯２１を調整して当該体の部位に嵌め込んで、モーター２２を駆動すると、結合帯２１が、偏心輪セット２４により連動され、左右の波動や揉みを行い、これにより、体の各部位に対してマッサージして体型をモデリングすることができる。
【００２４】
また、マッサージ帯セット２０のモーター２２が、単方向モーターで、ギア−により連動軸２３が連動されて回転されても、同じの効果が得られる。
【００２５】
また、マッサージ帯セット２００の構造は、図１３乃至１５のように、パッド１００の固定座１１０に、シュート１１１が設けられ、モーター２２０が、固定座１１０に結合され、固定座１１０のスピンドルに、偏心セット２４０が結合され、偏心セット２４０により、連動軸２３０が連動され、また、連動軸２３０が、シュート１１１に設置されて、左右に搖動でき、連動軸２３０に、偏心穴２３０１が設けられ、偏心穴２３０１と偏心セット２４０とを対応させ、また、連動軸２３０の両端に、されぞれ、結合帯２１０が結合され、両端の結合帯２１０が、更に、パッド１０の表面にある所定の位置から伸び出され、また、結合帯２１０の端部に、調整結合段２１１０が設けられても良い。
【００２６】
上記の具体的な実施例により、パッド１０の運動が、マッサージ帯セット２０によって連動されるため、結合帯２１全体が、左右の波動偏搖を行い、当該波動偏搖により、結合帯２１全体が、帯状方式で同時に等量運動を行い、接触した体の部位全体に、均一的に力を印加し、震動し過ぎる事が無く、より良いマッサージによる体型モデリング効果が得られ、また、傷付く恐れがない。
【図面の簡単な説明】
【００２７】
【図１】本発明の立体組立て図
【図２】本発明の構造透視立体図
【図３】本発明の他の構造の立体組立て図
【図４】本発明の他の構造の透視立体図
【図５】本発明の第４図のマッサージ帯セットの拡大図
【図６】本発明の動作概念図
【図７】本発明がシートクッション形態の構造立体図
【図８】本発明がシートクッション形態の立体透視図
【図９】本発明が椅子において、腰前に対するマッサージして体型をモデリングするとして使用される状態時の概念図
【図１０】本発明が椅子において、腰後に対するマッサージして体型をモデリングするとして使用される状態時の概念図
【図１１】本発明が椅子において、腿に対してマッサージして体型をモデリングするとして使用される状態時の概念図
【図１２】本発明が、寝台において、腰部や腿部に対してマッサージして体型をモデリングするとして使用される状態時の概念図
【図１３】本発明の他の実施例の構造の立体組立て図
【図１４】本発明の他の実施例の構造の立体分解図
【図１５】本発明の他の実施例の連動関係の概念図
【符号の説明】
【００２８】
１        椅子
１０      パッド
１００    パッド
１１      固定座
１１０    固定座
１１１    シュート
２        寝台
２０      マッサージ帯セット
２００    マッサージ帯セット
２１      結合帯
２１０    結合帯
２１１    調整結合段
２１１０  調整結合段
２１２    固定結合帯
２１３    調整結合段
２２      モーター
２２０    モーター
２３      連動軸
２３０    連動軸
２３０１  偏心穴
２４      偏心輪セット
２４０    偏心セット
２４１    偏心部材
２４２    結合部材
２４３    軸受
【図１】
2008200247.tif 000003
【図２】
2008200247.tif 000004
【図３】
2008200247.tif 000005
【図４】
2008200247.tif 000006
【図５】
2008200247.tif 000007
【図６】
2008200247.tif 000008
【図７】
2008200247.tif 000009
【図８】
2008200247.tif 000010
【図９】
2008200247.tif 000011
【図１０】
2008200247.tif 000012
【図１１】
2008200247.tif 000013
【図１２】
2008200247.tif 000014
【図１３】
2008200247.tif 000015
【図１４】
2008200247.tif 000016
【図１５】
2008200247.tif 000017